(57)【要約】【課題】外観品位及びお手入れ性を向上させることができる炊飯器を提供する。【解決手段】上面が開口した炊飯器本体３０と、前記炊飯器本体３０内に着脱自在に収納される鍋（図示せず）と、前記鍋を加熱する底誘導加熱コイル（図示せず）と、前記炊飯器本体３０を開閉自在に覆う蓋３５とを備え、前記炊飯器本体３０もしくは前記蓋３５の外郭は、部分的に加飾を施した透明フィルム層３６ａと透明材料層３６ｂを一体に形成し、さらに前記透明材料層３６ｂ側に有色材料層３５ａを一体に形成した３層からなるパネル３６を有し、前記透明材料層３６ｂの内側の一部もしくは外周部にシボ加工を施したもので、有色材料層３５ａの形成時に透明材料層３６ｂのシボ加工で形成された凹凸部に樹脂が流れ込み、樹脂と樹脂の間に凹凸感が出て、異素材のような金属調の風合いとなり、外観品位を向上させることができる。【選択図】図２
2013017497.tif 000002
【特許請求の範囲】
【請求項１】
上面が開口した炊飯器本体と、前記炊飯器本体内に着脱自在に収納される鍋と、前記鍋を加熱する鍋加熱手段と、前記炊飯器本体を開閉自在に覆う蓋とを備え、前記炊飯器本体もしくは前記蓋の外郭は、部分的に加飾を施した透明フィルム層と透明材料層を一体に形成し、さらに前記透明材料層側に有色材料層を一体に形成した３層からなるパネルを有し、前記透明材料層の内側の一部もしくは外周部にシボ加工を施したことを特徴とする炊飯器。
【請求項２】
パネルのシボ加工を施している部分に傾斜をつけると共に、鍋加熱手段を操作する操作部を有する面との間には溝や段差を設けないようにした請求項１に記載の炊飯器。
【請求項３】
パネルと蓋の内側の外周の一部の断面を角形状に形成した請求項１または２に記載の炊飯器。
【発明の詳細な説明】
【技術分野】
【０００１】
本発明は、一般家庭、あるいは業務用に使用される炊飯器に関するものである。
【背景技術】
【０００２】
従来、この種の炊飯器として、図５に示されるようなものがあった（例えば、特許文献１参照）。図５は、上記特許文献１に記載された従来の炊飯器の分解斜視図である。
【０００３】
図５において、従来の炊飯器の炊飯器本体１（以下「本体１」という）は、胴１ａと底１ｂで構成されると共に、本体１の内部に収容した釜（図示せず）の上端開口部を蓋６で覆い、釜をヒータ（図示せず）で加熱することによって炊飯の調理を行なうものである。
【０００４】
ヒータの加熱制御などの操作は、本体１の正面に配置したパネル２の範囲に配置した各種の操作ボタン８の操作によって行なう。すなわち、パネル２の背面（裏面）には、各種の制御装置（図示せず）が基板（図示せず）上に配置してあり、その操作ボタン８の操作をパネル２上で行なうものである。
【０００５】
釜の上面を覆う蓋６は、蓋フック１０の操作によって開閉可能であって、閉蓋状態にロックされるとともに、炊飯時に発生する蒸気は、蒸気孔１１から器外に排出される。本体１の正面には、透明な合成樹脂材で成型したパネルカバー３が着脱自在に装着され、通常の使用時においては、パネル２の外表面が、パネルカバー３によって覆われるている。
【０００６】
本体１の正面に着脱自在に装着するパネルカバー３は、その上部と下部の両方を、本体１に係止させ、自由に着脱することができる構造としている。上部係止構造は、パネルカバー３の上端にフック部１３を形成し、本体１正面の上端部に係止させるようにしている。下部係止構造は、パネルカバー３に突出形成した突起１５を、本体１の底部すなわち底に形成した挟持片（図示せず）で挟持させるようにしている。
【０００７】
パネルカバー３を装着するには、パネルカバー３の上端のフック部１３を本体１の上部に設けた突条１４に引っ掛けるように係合させ、パネルカバー３の下端部を、本体１の底１ｂに沿って押し込んでゆく。
【０００８】
またパネルカバー３は、透明な合成樹脂材で成型することによって外観の見栄えを向上させることができる。例えば、パネル２そのものの材質感や印刷の品位は、透明な合成樹脂材を介して視認することで高級感が生じる。透明なパネルカバー３の表面、主として内表面にシボ加工を施すと透光性を保持して透明でない状態とし、本体１の胴１ａと底１ｂの境界線などが見えないデザインとすることができる。本従来例では、細幅のシボ加工部２７を横縞模様に配置している。
【先行技術文献】
【特許文献】
【０００９】
【特許文献１】特開２００４−１７３７６２号公報
【発明の概要】
【発明が解決しようとする課題】
【００１０】
しかしながら、前記特許文献１に記載されたような従来の炊飯器のパネル構成では、本体１の正面に装着される着脱自在のパネルカバ−３の上・下部に設けられた係止手段により、溝や段差ができるので、異物や埃などが付着しやすく、お手入れ性に問題がある。また、外観品位向上も着脱自在のパネルカバ−３部分のみであり、着脱できる構成のため、機器の熱や経年劣化による変形のおそれがあり、それによって本体１に着脱しにくくなるという課題を有していた。
【００１１】
本発明は、前記従来の課題を解決するもので、パネルの一部もしくは、外周部に金属調の異素材で構成したような高級感を出すことができ、また段差や溝などの凹部もなく、外観品位及びお手入れ性を向上させることができる炊飯器を提供することを目的とする。
【課題を解決するための手段】
【００１２】
前記従来の課題を解決するために、本発明の炊飯器は、上面が開口した炊飯器本体と、前記炊飯器本体内に着脱自在に収納される鍋と、前記鍋を加熱する鍋加熱手段と、前記炊飯器本体を開閉自在に覆う蓋とを備え、前記炊飯器本体もしくは前記蓋の外郭は、部分的に加飾を施した透明フィルム層と透明材料層を一体に形成し、さらに前記透明材料層側に有色材料層を一体に形成した３層からなるパネルを有し、前記透明材料層の内側の一部もしくは外周部にシボ加工を施したもので、有色材料層の形成時に透明材料層のシボ加工で形成された凹凸部に樹脂が流れ込み、樹脂と樹脂の間に凹凸感が出て、異素材のような金属調の風合いとなり、外観品位を向上させることができる。
【発明の効果】
【００１３】
本発明の炊飯器は、パネルの一部もしくは外周部を金属調の異素材で構成したような高級感を出すことができ、外観品位を向上することができる。
【００１４】
また、パネルの加熱手段を操作する操作部とシボ加工を施している部分は、段差や溝をなくしフラットな面にすることにより、異物や埃などが付着しにくくなり、お手入れ性を向上させることができる。
【図面の簡単な説明】
【００１５】
【図１】本発明の実施の形態１における炊飯器の部分断面図
【図２】同炊飯器の要部拡大断面図
【図３】図１のＡ矢視図
【図４】同炊飯器の他の例を示す要部拡大断面図
【図５】従来の炊飯器の分解斜視図
【発明を実施するための形態】
【００１６】
第１の発明は、上面が開口した炊飯器本体と、前記炊飯器本体内に着脱自在に収納される鍋と、前記鍋を加熱する鍋加熱手段と、前記炊飯器本体を開閉自在に覆う蓋とを備え、前記炊飯器本体もしくは前記蓋の外郭は、部分的に加飾を施した透明フィルム層と透明材料層を一体に形成し、さらに前記透明材料層側に有色材料層を一体に形成した３層からなるパネルを有し、前記透明材料層の内側の一部もしくは外周部にシボ加工を施したもので、有色材料層の形成時に透明材料層のシボ加工で形成された凹凸部に樹脂が流れ込み、樹脂と樹脂の間に凹凸感が出て、異素材のような金属調の風合いとなり、外観品位を向上させることができる。
【００１７】
第２の発明は、特に、第１の発明のパネルのシボ加工を施している部分に傾斜をつけると共に、鍋加熱手段を操作する操作部を有する面との間には溝や段差を設けないようにしてフラットにすることにより、異物や埃などが付着しにくくなり、お手入れ性を向上させることができる。
【００１８】
第３の発明は、特に、第１または第２の発明のパネルと蓋の内側の外周の一部の断面を角形状に形成したもので、パネルの反りや変形を低減することができる。
【００１９】
以下、本発明の実施の形態について、図面を参照しながら説明する。なお、この実施の形態によって本発明が限定されるものではない。
【００２０】
（実施の形態１）
本発明の第１の実施の形態における炊飯器について、図１〜３を用いて説明する。図１は、本実施の形態における炊飯器の要部断面図を示すものである。
【００２１】
図１において、本実施の形態における炊飯器の炊飯器本体３０は、有底筒状の鍋収納部３０ａを有し、鍋３１を着脱自在に収納する。底誘導加熱コイル３２は、鍋加熱手段を構成するもので、鍋収納部３０ａの底部に設け、鍋３１を誘導加熱して炊飯・保温を行う。
【００２２】
底センサ−３３は、鍋３１の温度を検知し、制御部３４へ信号を送る。制御部３４は、底センサ−３３の信号より、底誘導加熱コイル３２の通電量を制御し、鍋３１の加熱量を変えることで、鍋３１の温度を炊飯・保温時に適温に制御するように構成している。
【００２３】
炊飯器本体３０の上部は、炊飯器本体３０の後部のヒンジ部３７に設けたヒンジ軸３８にて軸支した開閉自在な蓋３５で覆われている。蓋３５の先端には、蓋係合部４０を設けており、閉蓋時に、炊飯器本体３０の前方のフックボタン４１と係合し、炊飯または保温中に蓋３５が開くのを防止している。フックボタン４１を押すと、蓋係合部４０とフックボタン４１の係合が外れ、蓋３５のヒンジ部３７に設けたヒンジバネ３９の付勢力によって蓋３５が開くように構成されている。
【００２４】
図２は、本実施の形態における炊飯器の要部拡大断面図を示すものである。
【００２５】
図２において、蓋３５の外郭は、表面に厚さ０．０５〜０．３ｍｍのポリエチレンテレフタレ−ト樹脂等でなる透明フィルム層３６ａを有し、その下層にＡＢＳ樹脂、ポリカ−ボネ−ト樹脂、アクリル樹脂などの透明材料層３６ｂを有し、さらにその下層に有色材料層３５ａを一体に形成したパネル３６を有している。
【００２６】
透明フィルム層３６ａは、透明材料層３６ｂ側の面に印刷や塗装、蒸着などによる加飾を部分的に施している。
【００２７】
透明材料層３６ｂの厚さは、透明フィルム層３６ａに比べて十分に肉厚の１〜３mmとなっている。
【００２８】
有色材料層３５ａは、透明材料層３６ｂと同種の材料あるいは透明材料層３６ｂと成形密着性のある有色の材料からなり、たとえば、透明材料層３６ｂがアクリル樹脂であれば、有色材料層３５ａは、着色したアクリル樹脂あるいはＡＢＳ樹脂で構成する。
【００２９】
そして、透明材料層３６ｂの内側部分３６ｃを形成する金型のコア側にシボ加工を施し、透明材料層３６ｂと有色材料層３５ａを一体に形成し、外観品位を向上させている。
【００３０】
図３は、図１に示す炊飯器のＡ矢視図である。
【００３１】
図３において、加熱手段を操作する操作部３６ｄを有するパネル３６の天面とシボ加工を施している内側部分３６ｃは、面の傾斜角が異なるだけで面が繋がっており、段差や溝などの凹部がないので、異物や埃などが付着しにくくなる。
【００３２】
本実施の形態では、パネル３６と蓋３５の内側の外周部分３５ｂａは、図２に示すようにＣ面で形成されているが、外周の一部分の形状を、図４に示す外周部分３５ｂｂのように、Ｃ面ではなく角形状に形成し、ものづくり上での金型の補強を考慮するようにしても良い。
【００３３】
以上のように構成された本実施の形態における炊飯器について、以下その作用を説明する。
【００３４】
まず、透明フィルム層３６ａを透明なフィルム層とし、さらに透明材料層３６ｂの下層に有色材料層３５ａを一体に形成し、３層一体形成とするが、透明材料層３６ｂを形成する金型のコア側にシボ加工を施し、透明フィルム層３６ａと透明材料層３６ｂを一体に形成し、透明材料層３６ｂの下層に有色材料層３５ａを一体に形成すると、金型のシボ加工により形成された透明材料層３６ｂの内側部分３６ｃのシボ加工面に樹脂が流れ込み、樹脂と樹脂の間に凹凸感が出る。
【００３５】
透明フィルム層３６ａと透明材料層３６ｂを透過して有色材料層３５ａが透視されるので、シボ加工により形成された透明材料層３６ｂの内側部分３６ｃを、シボ加工を施していない樹脂部分とは異なった金属調に見せることができる。
【００３６】
さらに透明材料層３６ｂの内側部分３６ｃを形成する金型のコア側の面に縦溝状のギザギザ形状を放射線状に加工した上にシボ加工を施すことによって、そこに有色材料層３５ａの樹脂が流れ込むとより一層凹凸感を増すことができる。
【００３７】
パネル３６の一部分もしくは、内側部分３６ｃにシボ加工を施すことにより別部品や別材料を取り付けることなく、樹脂とは異なる金属調に見せることができて、炊飯器本体３０もしくは蓋３５全体の高級感が増し、外観品位を向上させることができる。
【００３８】
また、透明フィルム層３６ａと透明材料層３６ｂと有色材料層３５ａは、樹脂で構成されるので、一体成形工法を用いれば安価に透明感のある質感を表現できる。
【００３９】
また、操作部３６ｄを有するパネル３６の天面とシボ加工を施している内側部分３６ｃは、段差や溝などの凹部のない１枚の透明フィルム層３６ａでその表面を構成しているので、段差や溝に異物やほこりなどが溜まる恐れがなく、お手入れを容易にすることができる。
【００４０】
加えて、操作部３６ｄに誤って水がかかっても炊飯器本体３０内に浸入する恐れもなく、水による故障などの恐れがない。また、加飾された操作部３６ｄの境界面の影が透明材料層３６ｂを透過し、有色材料層３５ａに映ることで、操作部３６ｄが立体的に浮かび上がっているように見えるので、操作部３６ｄを認識し易く、使い勝手を向上させることができる。
【００４１】
また、従来、パネル３６は、過度の熱が加わったり、長年の使用によりパネル３６が変形したり、反りが発生することがあるので、接着あるいは爪嵌合やねじ止めで固定する必要があったが、本実施の形態のように、３層構造であればパネル３６は厚肉となり、剛性が向上し、変形や反りが発生しにくくなる。
【００４２】
さらに、パネル３６と蓋３５の内側の外周部分３５ｂａは、Ｃ面で形成されているが、一部分の形状を図４に示す外周部分３５ｂｂのようにＣ面ではなく角形状に形成することにより、ものづくりの上でも金型の強度を増すことができ、パネル３６の反りや変形をさらに低減することができる。
【００４３】
なお、本実施の形態では、蓋３５の外郭をパネル３６で覆っているが、操作部３６ｄを炊飯器本体３０に構成し、この操作部３６ｄを同様なパネル３６で覆うように構成しても、同様の効果を得ることは、いうまでも無い。
【産業上の利用可能性】
【００４４】
以上のように、本発明にかかる炊飯器は、３層パネルの一部もしくは外周部にあたる部分にシボ加工を施すことにより、パネルの一部もしくは外周部を金属調に見えるようにすることで炊飯器本体もしくは蓋全体の高級感が増し、外観品位を向上させることができるので、家庭用又は業務用の炊飯器にも適用できる。
【符号の説明】
【００４５】
３０    炊飯器本体
３０ａ  鍋収納部
３１    鍋
３２    底誘導加熱コイル（鍋加熱手段）
３３    底センサ−
３４    制御部
３５    蓋
３５ａ  有色材料層
３５ｂａ、３５ｂｂ  外周部分
３６    パネル
３６ａ  透明フィルム層
３６ｂ  透明材料層
３６ｃ  内側部分
３６ｄ  操作部
３７    ヒンジ部
３８    ヒンジ軸
３９    ヒンジバネ
４０    蓋係合部
４１    フックボタン
【図１】
2013017497.tif 000003
【図２】
2013017497.tif 000004
【図３】
2013017497.tif 000005
【図４】
2013017497.tif 000006
【図５】
2013017497.tif 000007